(57)【特許請求の範囲】
【請求項１】
複数のステップモータと、少なくとも現時刻を指示する基本時計用指針およびアラームセット時刻を指示するアラーム用指針を含みかつ前記各ステップモータで駆動される複数の指針と、前記現時刻を計数する現時刻カウンタと、前記アラームセット時刻を記憶するアラームカウンタと、アラーム鳴音手段と、アラーム用指針およびアラーム鳴音手段を制御するアラーム制御手段と、外部操作部材と、を備えたアラーム付電子時計であって、
前記外部操作部材には、前記基本時計用指針を操作するリューズおよび少なくとも一つのスイッチが含まれ、このリューズは少なくとも０段目、１段目、２段目の３つの位置に変更可能に設けられ、
前記アラーム制御手段は、前記リューズの３つの位置に対応して、前記アラームセット時刻が設定されておりかつ現時刻がアラームセット時刻に一致した際にアラームが鳴音するアラーム鳴音モードと、前記アラームセット時刻を設定するアラーム時刻セットモードと、前記アラーム用指針を前記現時刻に合わせるアラーム現時刻合わせモードと、に切り替えられるとともに、前記リューズの位置に応じて前記各モードに切り替えられた際に、前記スイッチを操作することで、前記切り替えられた各モードにおける操作が行われるように設定され、
更に、前記アラームセット時刻が設定されたアラームセット状態では、前記アラーム用指針が前記アラームセット時刻を指示した状態で停止し、前記アラームセット状態でないアラーム非セット状態では、前記アラーム用指針が運針するように制御するアラーム針運針制御手段を有する、ことを特徴とするアラーム付電子時計。
【請求項２】
請求項１に記載のアラーム付電子時計において、
前記リューズは、前記０段目が通常運針時の位置、前記１段目が前記基本時計用指針の日修正を行う位置、前記２段目が前記基本時計用指針の針合わせを行う位置であり、
前記アラーム制御手段は、前記リューズが０段目に位置する際に前記アラーム鳴音モードに設定され、前記リューズが１段目に位置する際に前記アラーム時刻セットモードに設定され、前記リューズが２段目に位置する際に前記アラーム現時刻合わせモードに設定されることを特徴とするアラーム付電子時計。
【請求項３】
請求項１または請求項２に記載のアラーム付電子時計において、
前記アラーム制御手段は、前記リューズの位置を検出するリューズ位置検出部と、前記少なくとも１つのスイッチの状態を検出するスイッチ検出部と、前記リューズ位置検出部で検出したリューズ位置情報および前記スイッチ検出部で検出したスイッチ状態情報に基づいて前記各モードにおける操作を実行するアラーム制御部と、を備えることを特徴とするアラーム付電子時計。
【請求項４】
請求項１〜３のいずれかに記載のアラーム付電子時計において、
前記アラーム針運針制御手段は、前記アラーム非セット状態では、前記アラーム用指針に前記基本時計用指針と同じ時刻を表示させるように運針制御することを特徴とするアラーム付電子時計。
【請求項５】
請求項１〜４のいずれかに記載のアラーム付電子時計において、
前記アラーム制御手段は、前記アラーム鳴音モードであり、前記アラームセット時刻が設定されたアラームセット状態であり、かつ前記アラームカウンタと現時刻カウンタの内容が一致した際に、前記アラーム鳴音手段にアラームを鳴音させ、かつ前記アラーム非セット状態に切り替えるアラーム実行手段を有することを特徴とするアラーム付電子時計。
【請求項６】
請求項１〜５のいずれかに記載のアラーム付電子時計において、
前記アラーム制御手段は、前記アラーム時刻セットモードであり、かつ前記設定されたアラームセット時刻と前記現時刻とが不一致の場合には、前記アラームセット状態に設定し、
前記アラーム時刻セットモードであり、かつ前記設定されたアラームセット時刻と前記現時刻とが一致した場合には、前記アラーム非セット状態に設定するアラーム切替手段を有することを特徴とするアラーム付電子時計。
【請求項７】
請求項６に記載のアラーム付電子時計において、
前記アラーム制御手段は、所定の操作により前記アラーム用指針の送り動作を早送り動作に切り替える早送り手段を有し、前記早送り手段は、前記アラーム時刻セットモード時であり、前記アラーム用指針の早送り中であり、かつ設定中の前記アラームセット時刻と前記現時刻とが一致した場合、前記早送り手段による前記アラーム用指針の早送りを中止することを特徴とするアラーム付電子時計。
【請求項８】
複数のステップモータと、少なくとも現時刻を指示する基本時計用指針およびアラームセット時刻を指示するアラーム用指針を含みかつ前記各ステップモータで駆動される複数の指針と、前記現時刻を計数する現時刻カウンタと、前記アラームセット時刻を記憶するアラームカウンタと、アラーム鳴音手段と、アラーム用指針およびアラーム鳴音手段を制御するアラーム制御手段と、外部操作部材と、を備えたアラーム付電子時計の操作方法であって、
前記外部操作部材として、前記基本時計用指針を操作可能かつ少なくとも０段目、１段目、２段目の３つの位置に変更可能なリューズおよび少なくとも一つのスイッチを用い、
前記リューズの３つの位置に対応して、前記アラームセット時刻が設定されておりかつ現時刻がアラームセット時刻に一致した際にアラームが鳴音するアラーム鳴音モードと、前記アラームセット時刻を設定するアラーム時刻セットモードと、前記アラーム用指針を前記現時刻に合わせるアラーム現時刻合わせモードと、に切り替えるとともに、
前記リューズの位置に応じて前記各モードに切り替えられた際に、前記スイッチを操作することで、前記切り替えられた各モードにおける操作を行い、
更に、前記アラームセット時刻が設定されたアラームセット状態では、前記アラーム用指針が前記アラームセット時刻を指示した状態で停止し、前記アラームセット状態でないアラーム非セット状態では、前記アラーム用指針が運針する、ことを特徴とするアラーム付電子時計の操作方法。
【請求項９】
請求項８に記載のアラーム付電子時計の操作方法において、
前記アラームセット時刻が設定されたアラームセット状態では、前記アラームセット時刻を指示した状態で前記アラーム用指針を停止させ、前記アラームセット状態でないアラーム非セット状態では、前記アラーム用指針に所定の運針を行わせることを特徴とするアラーム付電子時計の操作方法。
【請求項１０】
請求項８または請求項９に記載のアラーム付電子時計の操作方法において、
前記アラーム鳴音モードであり、前記アラームセット時刻が設定されたアラームセット状態であり、かつ前記アラームカウンタと現時刻カウンタの内容が一致した際に、前記アラーム鳴音手段にアラームを鳴音させ、かつ前記アラーム非セット状態に切り替えることを特徴とするアラーム付電子時計の操作方法。
【請求項１１】
請求項８〜１０のいずれかに記載のアラーム付電子時計の操作方法において、
前記アラーム時刻セットモードであり、かつ前記設定されたアラームセット時刻と前記現時刻とが不一致の場合には、前記アラームセット状態に設定し、
前記アラーム時刻セットモードであり、かつ前記設定されたアラームセット時刻と前記現時刻とが一致した場合には、前記アラーム非セット状態に設定することを特徴とするアラーム付電子時計の操作方法。
【請求項１２】
請求項１１に記載のアラーム付電子時計の操作方法において、
所定の操作により前記アラーム用指針の送り動作を早送り動作に切り替えるとともに、
前記アラーム時刻セットモード時であり、前記アラーム用指針の早送り中であり、かつ設定中の前記アラームセット時刻と前記現時刻とが一致した場合、前記アラーム用指針の早送りを中止することを特徴とするアラーム付電子時計の操作方法。
【請求項１３】
複数のステップモータと、少なくとも現時刻を指示する基本時計用指針およびアラームセット時刻を指示するアラーム用指針を含みかつ前記各ステップモータで駆動される複数の指針と、前記現時刻を計数する現時刻カウンタと、前記アラームセット時刻を記憶するアラームカウンタと、アラーム鳴音手段と、アラーム用指針およびアラーム鳴音手段を制御するアラーム制御手段と、前記基本時計用指針を操作可能かつ少なくとも０段目、１段目、２段目の３つの位置に変更可能なリューズおよび少なくとも一つのスイッチを含む外部操作部材と、を備えたアラーム付電子時計に組み込まれる制御プログラムであって、
前記指針式電子時計に組み込まれたコンピュータに、前記リューズの３つの位置に対応して、前記アラームセット時刻が設定されておりかつ現時刻がアラームセット時刻に一致した際にアラームが鳴音するアラーム鳴音モードと、前記アラームセット時刻を設定するアラーム時刻セットモードと、前記アラーム用指針を前記現時刻に合わせるアラーム現時刻合わせモードと、に切り替える手順を実行させるとともに、
前記リューズの位置に応じて前記各モードに切り替えられた際に、前記スイッチを操作することで、前記切り替えられた各モードにおける操作を行う手順を実行させ、
更に、前記アラームセット時刻が設定されたアラームセット状態では、前記アラーム用指針が前記アラームセット時刻を指示した状態で停止し、前記アラームセット状態でないアラーム非セット状態では、前記アラーム用指針が運針する手順を実行させることを特徴とするアラーム付電子時計の制御プログラム。
【発明の詳細な説明】
【０００１】
【発明の属する技術分野】
本発明は、アラーム付電子時計、その操作方法、その制御プログラムに関する。
【０００２】
【背景技術】
近年においては、デジタル式電子時計だけでなく、アナログ電子時計（指針式電子時計）に対しても、クロノグラフ、アラーム、タイマー等の多機能付加の要求が強く、色々な多機能アナログ電子時計が商品化されている。
【０００３】
これらの多機能アナログ電子時計におけるアラーム付電子時計では、各時針、分針、秒針等の時刻表示用の指針（基本時計用指針）の他に、アラーム時分針（アラーム用指針）を、文字盤の任意の位置、例えば６時位置や９時位置などに専用の小窓を設けて設定している。
【０００４】
ところで、このような基本時計用指針の他にアラーム用指針を有する時計では、例えば、特公平７−１０４４１８号公報や、特許第２９９８７４９号公報に記載されているように、基本時計用指針の針合わせ等を行うリューズの他に、アラーム用指針を操作するための第２のリューズ（巻真）およびスイッチを設けていた。
【０００５】
【発明が解決しようとする課題】
しかしながら、このようなリューズなどの外部操作部材の数が増えると、その操作部材や切り替え機構のスペースを広く取らなければならず、ムーブメントの小型薄型化を阻害したり、レイアウトの自由度が低くなって設計が困難になるという問題があった。
【０００６】
また、部品点数も多くなり、コストが増加するという問題もあった。
【０００７】
本発明の目的は、リューズ等の外部操作部材の数を増加させる必要が無く、ムーブメントの小型薄型化を実現でき、レイアウト自由度も高めることができるとともに、コスト増加を抑えることができるアラーム付電子時計、その操作方法、その操作プログラムを提供することにある。
【０００８】
【課題を解決するための手段】
本発明のアラーム付電子時計は、複数のステップモータと、少なくとも現時刻を指示する基本時計用指針およびアラームセット時刻を指示するアラーム用指針を含みかつ前記各ステップモータで駆動される複数の指針と、前記現時刻を計数する現時刻カウンタと、前記アラームセット時刻を記憶するアラームカウンタと、アラーム鳴音手段と、アラーム用指針およびアラーム鳴音手段を制御するアラーム制御手段と、外部操作部材と、を備えるとともに、前記外部操作部材には、前記基本時計用指針を操作するリューズおよび少なくとも一つのスイッチが含まれ、このリューズは少なくとも０段目、１段目、２段目の３つの位置に変更可能に設けられ、前記アラーム制御手段は、前記リューズの３つの位置に対応して、前記アラームセット時刻が設定されておりかつ現時刻がアラームセット時刻に一致した際にアラームが鳴音するアラーム鳴音モードと、前記アラームセット時刻を設定するアラーム時刻セットモードと、前記アラーム用指針を前記現時刻に合わせるアラーム現時刻合わせモードとの３つのアラーム制御モードに切り替えられるとともに、前記リューズの位置に応じて前記各モードに切り替えられた際には、前記スイッチを操作することで前記切り替えられた各モードにおける操作が行われるように設定され、更に、前記アラームセット時刻が設定されたアラームセット状態では、前記アラーム用指針が前記アラームセット時刻を指示した状態で停止し、前記アラームセット状態でないアラーム非セット状態では、前記アラーム用指針が運針するように制御するアラーム針運針制御手段を有する、ことを特徴とするものである。
【０００９】
この構成では、アラーム用指針の操作やアラームセット等を行うアラーム制御手段の各制御モードの切換を、基本時計用指針を操作するリューズによって行うようにしたので、従来のような第２のリューズを設ける必要がない。このため、アラーム用指針を有するアラーム付電子時計であっても、外部操作部材の数を少なくでき、その分、ムーブメントの小型薄型化が図れ、レイアウト自由度も高まり、コストも低減できる。特に、リューズは、切り替え機構などが付属するために、スイッチなどの他の外部操作部材に比べて広いスペースが必要となるため、リューズの数を削減すれば、スイッチを削減する場合に比べても、ムーブメントをより一層小型薄型化することができる。
さらに、外部操作部材としてリューズの他にスイッチを設けるので、リューズを所定の段に移動後、リューズ自身を回転させた場合には、カレンダ修正や基本時計の針合わせが行われ、スイッチを押すなどの操作を行った場合には、アラーム用指針の針合わせやアラーム時刻セット操作等が行われるようにすることができる。このため、時計の使用者は、各アラーム制御モードでの操作と基本時計等の操作とを明確に区別して操作でき、時間で区別する場合に比べて操作性を向上できる。
さらに、使用者は、アラーム用指針が基本時計と一致して運針しているかあるいは停止しているかで、アラームセット状態であるか否かを容易に判別できる。
【００１０】
本発明のアラーム付電子時計において、前記リューズは、前記０段目が通常運針時の位置、前記１段目が前記基本時計用指針の日修正を行う位置、前記２段目が前記基本時計用指針の針合わせを行う位置であり、前記アラーム制御手段は、前記リューズが０段目に位置する際に前記アラーム鳴音モードに設定され、前記リューズが１段目に位置する際に前記アラーム時刻セットモードに設定され、前記リューズが２段目に位置する際に前記アラーム現時刻合わせモードに設定されることが好ましい。
【００１１】
このように設定すれば、アラーム操作の中で頻度の高いアラーム時刻セット操作は、リューズを１段目に引き出した際に行い、頻度の低いアラーム現時刻合わせ操作は、２段目に引き出した際に行うようにしているので、アラーム操作の全体的な操作性を向上できる。
【００１３】
本発明のアラーム付電子時計において、前記少なくとも１つのスイッチにより前記リューズの位置に応じた前記各モード毎の操作を行うために、前記アラーム制御手段は、前記リューズの位置を検出するリューズ位置検出部と、前記少なくとも１つのスイッチの状態を検出するスイッチ検出部と、前記リューズ位置検出部で検出したリューズ位置情報および前記スイッチ検出部で検出したスイッチ状態情報に基づいて前記各モードにおける操作を実行するアラーム制御部と、を備えることが好ましい。
【００１４】
前述した各モード毎の操作を行うためのスイッチの数は、アラーム機能のみが追加されている場合には１つでもよいが、クロノグラフ機能等の他の機能も有する時計の場合には、２つのスイッチを設けることが好ましい。
【００１７】
本発明のアラーム付電子時計において、前記アラーム制御手段は、前記アラームセット時刻が設定されたアラームセット状態では、前記アラーム用指針が前記アラームセット時刻を指示した状態で停止し、前記アラームセット状態でないアラーム非セット状態では、前記アラーム用指針が運針するように制御するアラーム針運針制御手段を有することが好ましい。
【００１８】
ここで、アラーム非セット状態の運針としては、例えば現時刻に時差を持たせたワールドタイム機能用の運針でもよいが、前記アラーム用指針が基本時計と同じ時刻を表示するように運針制御することが好ましい。
【００１９】
具体的には、前記アラーム針運針制御手段は、前記アラーム非セット状態では、前記アラーム用指針に前記基本時計用指針と同じ時刻を表示させるように運針制御することができる。
【００２０】
このような構成にすれば、使用者は、アラーム用指針が基本時計と一致しているかあるいは運針しているかで、アラームセット状態であるか否かを容易に判別できる。特に、アラーム非セット状態時に、アラーム用指針が基本時計と同じ時刻を表示するようにすれば、アラームセット状態であるか否かをより一層容易に判別できる。
【００２１】
本発明のアラーム付電子時計において、前記アラーム制御手段は、アラーム鳴音モード時であり、前記アラームセット時刻が設定されたアラームセット状態であり、かつ前記アラームカウンタと現時刻カウンタの内容が一致した際に、前記アラーム鳴音手段にアラームを鳴音させ、かつ前記アラーム非セット状態に切り替えるアラーム実行手段を有することが好ましい。
【００２２】
このような構成にすれば、アラーム時刻になった際に、１度だけアラームを鳴らすワンタッチアラーム機能を容易に実現できる。
【００２３】
本発明のアラーム付電子時計において、前記アラーム制御手段は、前記アラーム時刻セットモード時であり、かつ前記設定されたアラームセット時刻と前記現時刻とが不一致（各カウンタ内容が不一致）の場合には前記アラームセット状態に設定し、前記アラーム時刻セットモードであり、かつ前記設定されたアラームセット時刻と前記現時刻とが一致した場合には、前記アラーム非セット状態に設定するアラーム切替手段を有することが好ましい。
【００２４】
このように構成すれば、アラームのセット及び非セットを、別のスイッチなどを操作して設定する必要が無く、その分、外部操作部材の増加を抑えることができる。
【００２５】
本発明のアラーム付電子時計において、前記アラーム制御手段は、所定の操作により前記アラーム用指針の送り動作を早送り動作に切り替える早送り手段を有し、前記早送り手段は、前記アラーム時刻セットモード時であり、かつ前記アラーム用指針の早送り中であり、かつ設定中の前記アラームセット時刻と前記現時刻とが一致した場合、前記早送り手段による前記アラーム用指針の早送りを中止することが好ましい。
【００２６】
このように構成すれば、例えば、アラーム非セット状態にするために、アラームセット時刻と現時刻とを一致させる場合に、アラーム用指針の早送り操作を行うだけで、アラームセット時刻と現時刻とが一致した時点で早送りが自動的に中止されるため、簡単にアラームセット時刻と現時刻とを一致させることができ、アラーム非セット状態への切り換え時の操作性も向上できる。
【００２７】
本発明の操作方法は、複数のステップモータと、少なくとも現時刻を指示する基本時計用指針およびアラームセット時刻を指示するアラーム用指針を含みかつ前記各ステップモータで駆動される複数の指針と、前記現時刻を計数する現時刻カウンタと、前記アラームセット時刻を記憶するアラームカウンタと、アラーム鳴音手段と、アラーム用指針およびアラーム鳴音手段を制御するアラーム制御手段と、外部操作部材と、を備えたアラーム付電子時計の操作方法であって、前記外部操作部材として、前記基本時計用指針を操作可能かつ少なくとも０段目、１段目、２段目の３つの位置に変更可能なリューズおよび少なくとも一つのスイッチを用い、前記リューズの３つの位置に対応して、前記アラームセット時刻が設定されておりかつ現時刻がアラームセット時刻に一致した際にアラームが鳴音するアラーム鳴音モードと、前記アラームセット時刻を設定するアラーム時刻セットモードと、前記アラーム用指針を前記現時刻に合わせるアラーム現時刻合わせモードと、に切り替えるとともに、前記リューズの位置に応じて前記各モードに切り替えられた際に、前記スイッチを操作することで、前記切り替えられた各モードにおける操作を行い、
更に、前記アラームセット時刻が設定されたアラームセット状態では、前記アラーム用指針が前記アラームセット時刻を指示した状態で停止し、前記アラームセット状態でないアラーム非セット状態では、前記アラーム用指針が運針する、ことを特徴とする。
【００２８】
この方法では、アラーム用指針の操作やアラームセット等を行うアラーム制御手段の各制御モードの切換を、基本時計用指針を操作するリューズによって行うので、アラーム付電子時計に従来のような第２のリューズを設ける必要がない。このため、アラーム用指針を有するアラーム付電子時計であっても、外部操作部材の数を少なくでき、その分、ムーブメントの小型薄型化が図れ、レイアウト自由度も高まり、コストも低減できる。特に、リューズは、切り替え機構などが付属するために、スイッチなどの他の外部操作部材に比べて広いスペースが必要となるため、リューズの数を削減すれば、スイッチを削減する場合に比べても、ムーブメントをより一層小型薄型化することができる。
さらに、外部操作部材としてリューズの他にスイッチを用いるので、リューズを所定の段に移動後、リューズ自身を回転させた場合には、カレンダ修正や基本時計の針合わせが行われ、スイッチを押すなどの操作を行った場合には、アラーム用指針の針合わせやアラーム時刻セット操作等が行われるようにすることができる。このため、時計の使用者は、各アラーム制御モードでの操作と基本時計等の操作とを明確に区別して操作でき、時間で区別する場合に比べて操作性を向上できる。
さらに、使用者は、アラーム用指針が基本時計と一致して運針しているかあるいは停止しているかで、アラームセット状態であるか否かを容易に判別できる。
【００２９】
本発明の操作方法において、前記アラームセット時刻が設定されたアラームセット状態では、前記アラームセット時刻を指示した状態で前記アラーム用指針を停止させ、前記アラームセット状態でないアラーム非セット状態では、前記アラーム用指針に所定の運針を行わせることが望ましい。
【００３０】
このようにすれば、使用者は、アラーム用指針が基本時計と一致しているかあるいは運針しているかで、アラームセット状態であるか否かを容易に判別できる。特に、アラーム非セット状態時に、アラーム用指針が基本時計と同じ時刻を表示するようにすれば、アラームセット状態であるか否かをより一層容易に判別できる。
【００３１】
本発明の操作方法において、前記アラーム鳴音モードであり、前記アラームセット時刻が設定されたアラームセット状態であり、かつ前記アラームカウンタと現時刻カウンタの内容が一致した際に、前記アラーム鳴音手段にアラームを鳴音させ、かつ前記アラーム非セット状態に切り替えることが望ましい。
【００３２】
このような構成にすれば、アラーム時刻になった際に、１度だけアラームを鳴らすワンタッチアラーム機能を容易に実現できる。
【００３３】
本発明の操作方法において、前記アラーム時刻セットモードであり、かつ前記設定されたアラームセット時刻と前記現時刻とが不一致の場合には、前記アラームセット状態に設定し、前記アラーム時刻セットモードであり、かつ前記設定されたアラームセット時刻と前記現時刻とが一致した場合には、前記アラーム非セット状態に設定することが望ましい。
【００３４】
このようにすれば、アラームのセット及び非セットを、別のスイッチなどを操作して設定する必要が無く、その分、外部操作部材の増加を抑えることができる。
【００３５】
本発明の操作方法において、所定の操作により前記アラーム用指針の送り動作を早送り動作に切り替えるとともに、前記アラーム時刻セットモード時であり、前記アラーム用指針の早送り中であり、かつ設定中の前記アラームセット時刻と前記現時刻とが一致した場合、前記アラーム用指針の早送りを中止することが望ましい。
【００３６】
このようにすれば、例えば、アラーム非セット状態にするために、アラームセット時刻と現時刻とを一致させる場合に、アラーム用指針の早送り操作を行うだけで、アラームセット時刻と現時刻とが一致した時点で早送りが自動的に中止されるため、簡単にアラームセット時刻と現時刻とを一致させることができ、アラーム非セット状態への切り換え時の操作性も向上できる。
【００３７】
本発明の制御プログラムは、複数のステップモータと、少なくとも現時刻を指示する基本時計用指針およびアラームセット時刻を指示するアラーム用指針を含みかつ前記各ステップモータで駆動される複数の指針と、前記現時刻を計数する現時刻カウンタと、前記アラームセット時刻を記憶するアラームカウンタと、アラーム鳴音手段と、アラーム用指針およびアラーム鳴音手段を制御するアラーム制御手段と、前記基本時計用指針を操作可能かつ少なくとも０段目、１段目、２段目の３つの位置に変更可能なリューズおよび少なくとも一つのスイッチを含む外部操作部材と、を備えたアラーム付電子時計に組み込まれる制御プログラムであって、前記指針式電子時計に組み込まれたコンピュータに、前記リューズの３つの位置に対応して、前記アラームセット時刻が設定されておりかつ現時刻がアラームセット時刻に一致した際にアラームが鳴音するアラーム鳴音モードと、前記アラームセット時刻を設定するアラーム時刻セットモードと、前記アラーム用指針を前記現時刻に合わせるアラーム現時刻合わせモードと、に切り替える手順を実行させるとともに、前記リューズの位置に応じて前記各モードに切り替えられた際に、前記スイッチを操作することで、前記切り替えられた各モードにおける操作を行う手順を実行させ、
更に、前記アラームセット時刻が設定されたアラームセット状態では、前記アラーム用指針が前記アラームセット時刻を指示した状態で停止し、前記アラームセット状態でないアラーム非セット状態では、前記アラーム用指針が運針する手順を実行させることを特徴とする。
【００３８】
この制御プログラムによれば、アラーム用指針の操作やアラームセット等を行うアラーム制御手段の各制御モードの切換を、基本時計用指針を操作するリューズによって行うので、アラーム付電子時計に従来のような第２のリューズを設ける必要がない。このため、アラーム用指針を有するアラーム付電子時計であっても、外部操作部材の数を少なくでき、その分、ムーブメントの小型薄型化が図れ、レイアウト自由度も高まり、コストも低減できる。特に、リューズは、切り替え機構などが付属するために、スイッチなどの他の外部操作部材に比べて広いスペースが必要となるため、リューズの数を削減すれば、スイッチを削減する場合に比べても、ムーブメントをより一層小型薄型化することができる。
さらに、外部操作部材としてリューズの他にスイッチを用いるので、リューズを所定の段に移動後、リューズ自身を回転させた場合には、カレンダ修正や基本時計の針合わせが行われ、スイッチを押すなどの操作を行った場合には、アラーム用指針の針合わせやアラーム時刻セット操作等が行われるようにすることができる。このため、時計の使用者は、各アラーム制御モードでの操作と基本時計等の操作とを明確に区別して操作でき、時間で区別する場合に比べて操作性を向上できる。
さらに、使用者は、アラーム用指針が基本時計と一致して運針しているかあるいは停止しているかで、アラームセット状態であるか否かを容易に判別できる。
【００３９】
本発明の制御プログラムにおいて、前記指針式電子時計に組み込まれたコンピュータに、前記アラームセット時刻が設定されたアラームセット状態では、前記アラームセット時刻を指示した状態で前記アラーム用指針を停止させ、前記アラームセット状態でないアラーム非セット状態では、前記アラーム用指針に所定の運針を行わせる手順を実行させることが望ましい。
【００４０】
このようにすれば、使用者は、アラーム用指針が基本時計と一致しているかあるいは運針しているかで、アラームセット状態であるか否かを容易に判別できる。特に、アラーム非セット状態時に、アラーム用指針が基本時計と同じ時刻を表示するようにすれば、アラームセット状態であるか否かをより一層容易に判別できる。
【００４１】
本発明の制御プログラムにおいて、前記指針式電子時計に組み込まれたコンピュータに、前記アラーム鳴音モードであり、前記アラームセット時刻が設定されたアラームセット状態であり、かつ前記アラームカウンタと現時刻カウンタの内容が一致した際に、前記アラーム鳴音手段にアラームを鳴音させ、かつ前記アラーム非セット状態に切り替える手順を実行させることが望ましい。
【００４２】
このような構成にすれば、アラーム時刻になった際に、１度だけアラームを鳴らすワンタッチアラーム機能を容易に実現できる。
【００４３】
本発明の制御プログラムにおいて、前記指針式電子時計に組み込まれたコンピュータに、前記アラーム時刻セットモードであり、かつ前記設定されたアラームセット時刻と前記現時刻とが不一致の場合には、前記アラームセット状態に設定し、前記アラーム時刻セットモードであり、かつ前記設定されたアラームセット時刻と前記現時刻とが一致した場合には、前記アラーム非セット状態に設定する手順を実行させることが望ましい。
【００４４】
このようにすれば、アラームのセット及び非セットを、別のスイッチなどを操作して設定する必要が無く、その分、外部操作部材の増加を抑えることができる。
【００４５】
本発明の制御プログラムにおいて、前記指針式電子時計に組み込まれたコンピュータに、所定の操作により前記アラーム用指針の送り動作を早送り動作に切り替えるとともに、前記アラーム時刻セットモード時であり、前記アラーム用指針の早送り中であり、かつ設定中の前記アラームセット時刻と前記現時刻とが一致した場合、前記アラーム用指針の早送りを中止する手順を実行させることが望ましい。
【００４６】
【発明の実施の形態】
以下に、本発明の実施形態を図面に基づいて説明する。
【００４７】
図１に示すように、アラーム付電子時計１は、通常の時刻表示を行う基本時計用指針としての時針１１、分針１２、小秒針１３を備えている。小秒針１３は、時計１の中心軸に対し文字盤の９時方向にずれた位置に配置されている。
【００４８】
また、アラーム付電子時計１には、前記時針１１、分針１２と同軸上に配置され、１／５秒刻みのクロノグラフ秒表示を行う１／５秒ＣＧ針（１／５秒クロノグラフ針）１５と、時計１の中心軸に対し１２時方向にずれた位置に配置され、１分刻みのクロノグラフ分表示を行う分ＣＧ針（分クロノグラフ針）１６とが設けられている。さらに、時計１には、時計１の中心軸に対し６時方向にずれた位置に配置されたアラーム時針１７およびアラーム分針１８が設けられている。
【００４９】
また、アラーム付電子時計１には、外部操作部材であるリューズ５と、同じく外部操作部材であるＡボタン（スイッチＡ、ＳＷＡ）６およびＢボタン（スイッチＢ、ＳＷＢ）７とが設けられている。また、アラーム付電子時計１には、電子ブザー等の音響等を用いるアラーム１９が内蔵されている。
【００５０】
図２に示すように、各指針１１〜１３，１５〜１８は、４つのステップモータでそれぞれ駆動される。すなわち、前記時針１１、分針１２、小秒針１３はステップモータＭ９で駆動され、分ＣＧ針１６はステップモータＭ０で駆動され、１／５秒ＣＧ針１５はステップモータＭＣで駆動され、アラーム分針１８およびこれに連動するアラーム時針１７はステップモータＭ６で駆動される。
【００５１】
具体的には、これらの各ステップモータは、駆動パルス発生回路２１〜２４に所定のパルスを入力することで、各モータドライバ２５〜２８を介して駆動される（図３参照）。
【００５２】
これらの各ステップモータによって各指針１１〜１８を駆動する駆動機構（輪列等）の構成は、特許第２９９８７４９号公報に開示された従来技術と同様のため、説明を省略する。
【００５３】
これらの各ステップモータの駆動制御を行うために、アラーム付電子時計１には駆動制御回路２０が内蔵されている。
【００５４】
駆動制御回路２０は、通常は水晶発振回路３１（図３参照、詳細は後述）からの駆動信号に基づいて各ステップモータの駆動を行うものであり、ステップモータＭ９を介して時針１１、分針１２、小秒針１３を駆動制御する基本指針駆動制御部２０１と、ステップモータＭ０を介して分ＣＧ針１６を駆動する分ＣＧ針駆動制御部４０と、ステップモータＭＣを介して１／５秒ＣＧ針１５を駆動する１／５ＣＧ針駆動制御部５０とを備えている。
駆動制御回路２０はアラーム制御手段を兼ねており、アラーム制御部としてのアラーム針駆動制御部６０を備え、ステップモータＭ６を介してアラーム用指針であるアラーム時針１７およびアラーム分針１８の調整を含むアラーム設定を行うとともに、所定の設定時刻にアラーム１９を鳴音させる制御を行う。
駆動制御回路２０は、時間表示を行う各指針１１〜１３，１５〜１８の調整を行うために、外部操作部材（リューズ５、Ａボタン６、Ｂボタン７）の内の１つの操作によって修正対象とする指針を選択する指針選択手段２０２と、他の何れかの操作によって選択された指針の位置合わせを行う指針位置合わせ手段２０３とを備えている。
このような指針選択手段２０２および指針位置合わせ手段２０３の操作を行うために、アラーム付電子時計１にはスイッチ制御部７０が内蔵されている。
【００５５】
スイッチ制御部７０は、外部操作部材（リューズ５、Ａボタン６、Ｂボタン７）の操作を受付けるものであり、リューズ５の引き出し位置（０段目、１段目、２段目）を識別するリューズ位置検出部７０１と、Ａボタン６の押込み操作を検出するスイッチＡ検出部７０２と、Ｂボタン７の押込み操作を検出するスイッチＢ検出部７０３と、を備えている。そして、スイッチ制御部７０は、外部からの操作状況に応じた信号を駆動制御回路２０に送り、各種調整等の操作が行われるようになっている。
従って、何れかの外部操作部材の操作（例えばリューズ５の引き出し）により、指針選択手段２０２が修正対象とする指針（分ＣＧ針１６、１／５秒ＣＧ針１５、アラーム時刻を示す指針１７〜１８）を選択し、他の外部操作部材の操作（例えばＡボタン６の押込み）により指針位置合わせ手段２０３が選択した指針の調整等を行う。
【００５６】
この際、どの指針が操作対象かを表すために、駆動制御回路２０には選択対象表示手段２０４が設置されている。選択対象表示手段２０４は、例えば選択された指針を一回転させる等により、特別な表示手段を用いることなく操作対象が解るようになっている。
更に、指針選択手段２０２には選択切替手段２０６が設置され、調整する指針の選択にあたっては、選択対象の指針が同じ操作で順次切り替わるようになっている。
【００５７】
また、指針選択手段２０２には標準選択手段２０５が設置され、通常の表示状態から指針の調整に入るための最初の選択時には、予め定められた特定の選択対象（例えばアラーム指針）を選択するようになっている。
なお、アラーム付電子時計１において、前述した駆動制御回路２０の各部および各手段、スイッチ制御部７０の各部は、例えば後述する論理回路を主体としたハードウェア的な構成としてもよい。この際、前述した各部および各手段は一部が他の部分等で兼用または共用されるようにしてもよい。一方、アラーム付電子時計１に機器組込用の小型コンピュータシステムを内蔵し、このコンピュータシステムで制御プログラムを実行させて前述した各部および各手段をソフトウェア的に実現するものであってもよく、このようなソフトウェア構成と前述した論理回路による構成との組合せとしてもよい。
次に、図３および図４の制御ブロック図を参照して、各ステップモータの具体的な駆動制御に関して説明する。
【００５８】
各ステップモータの駆動制御回路２０は、時間基準信号を出力する水晶発振回路（ＯＳＣ）３１を備えている。水晶発振回路３１からの発振信号は、第１分周回路（ＤＩＶ１）３２、第２分周回路（ＤＩＶ２）３３で分周されて１Ｈｚの信号とされ、駆動パルス発生回路２１に入力される。
駆動パルス発生回路２１では、前記１Ｈｚの信号入力に対応してモータドライバ２５に駆動パルスを出力し、ステップモータＭ９を駆動する。これにより、小秒針１３は１秒分（１パルス分）移動する。また、分針１２および時針１１は、小秒針１３の移動に連動して移動する。
なお、モータドライバ２５は、ステップモータＭ９の回転検出も行い、その情報を駆動パルス発生回路２１にフィードバックする。駆動パルス発生回路２１は、ステップモータＭ９が非回転の場合には、再度駆動パルスを発生させてステップモータＭ９を回転駆動するようにされている。
第２分周回路３３の出力信号１Ｈｚは、論理緩急回路３４にも入力されている。論理緩急回路３４は、発振回路３１で出力される時間基準信号の絶対時間からのズレについて補正するために、時間基準信号又は基本信号たる被分周信号（本実施形態では第１分周回路３２の出力信号）を所定の補正周期（緩急周期）毎に必要な補正量（緩急量）だけ伸縮させるデジタル緩急を行うものであり、本実施形態では１０秒毎に第１分周回路３２に信号を出力するようにされている。
第１分周回路３２の出力は、第３分周回路（ＤＩＶ３）３５にも入力されている。第３分周回路３５は、５Ｈｚの信号を出力し、この信号は１／５秒ＣＧ針駆動制御部５０に入力される。
【００５９】
また、後述するように、１／５秒ＣＧ針駆動制御部５０からの１分毎のパルス信号は分ＣＧ針駆動制御部４０に入力される。
さらに、前記論理緩急回路３４から１０秒毎に出力される信号は、分アラームカウンタ３６にも入力されている。分アラームカウンタ３６は、３ビットで６進のカウンタとされ、１０秒毎の信号が６パルス入力される毎、つまり１分毎にパルス信号をアラーム制御手段であるアラーム針駆動制御部６０に出力する。
そして、これらの各駆動制御部４０，５０，６０からのパルス信号が前記駆動パルス発生回路２２〜２４に入力されて、各ステップモータの駆動を制御している。さらに、アラーム針駆動制御部６０からは、アラーム鳴音手段であるアラーム音発生回路２９にも信号が出力され、アラームドライバ３０によってアラームを鳴らすようにされている。
分ＣＧ針駆動制御部４０は、図４に詳述するように、分ＣＧカウンタ４１、分ＣＧ針０位置カウンタ４２、第１ラッチ回路４３、第１一致回路４４、第１制御回路４５を備えている。
【００６０】
同様に、１／５秒ＣＧ針駆動制御部５０は、１／５秒ＣＧカウンタ５１、１／５秒ＣＧ針０位置カウンタ５２、第２ラッチ回路５３、第２一致回路５４、第２制御回路５５を備えている。
さらに、アラーム針駆動制御部６０は、現時刻カウンタである分・時アラームカウンタ６１、アラームカウンタである分・時アラーム針０位置カウンタ６２、第３ラッチ回路６３、第３一致回路６４、第３制御回路６５とを備えている。なお、本実施形態では、第３ラッチ回路６３は常時非ラッチ状態とされて必要ないが、アラーム針１７，１８の代わりに時ＣＧ針を設けた際にも兼用できるように残されている。
分・時アラームカウンタ６１は、図５にも示すように、１０ビットのカウンタで構成され、かつカウンタ値が「７２０」になるとリセット端子Ｒに信号を入力してカウンタをリセットする７２０進のカウンタとされている。従って、クロック入力に１分毎の信号が７２０パルス入力される毎に、つまり７２０分間（１２時間）を計数可能とされている。このため、分アラームカウンタ３６からの信号により、基本時計用指針１１〜１３と同じ時刻（現時刻）が、現時刻カウンタである分・時アラームカウンタ６１にカウントされる。
【００６１】
同様に、アラームカウンタである分・時アラーム針０位置カウンタ６２も１０ビット、７２０進のカウンタとされており、１２時間の範囲内でアラームセット時刻を記憶することができるようにされている。
また、１／５秒ＣＧ秒カウンタ５１は、９ビットのカウンタで構成され、かつカウンタ値が「３００」になるとリセット端子Ｒに信号を入力してカウンタをリセットする３００進のカウンタとされている。従って、クロック入力に５Ｈｚの信号が３００パルス入力される毎に、つまり１分間を計数可能とされている。そして、この１分毎に所定のパルス信号（ＣＧ１分）を前記分ＣＧカウンタ４１に出力している。同様に、１／５秒ＣＧ針０位置カウンタ５２も９ビット、３００進のカウンタとされている。
分ＣＧカウンタ４１は、６ビットで６０進のカウンタとされている。従って、１分毎のパルス信号が６０パルス入力される毎、つまり１時間の計数が可能とされている。分ＣＧカウンタ４１からは１時間毎にパルス信号が出力され、４ビット１２進の１２時間検出カウンタ３７に入力されている。この１２時間検出カウンタ３７で１２時間経過を検出した場合、つまりストップウォッチ（クロノグラフ）の計測時間が１２時間になった場合には、自動的に計測をストップし、リセットを行い、各１／５秒ＣＧ針１５、分ＣＧ針１６をリセット状態に戻すようにされている。
【００６２】
分ＣＧ針０位置カウンタ４２は、分ＣＧカウンタ４１と同様に、６ビットで６０進のカウンタとされている。
各制御回路４５，５５，６５は、各カウンタ４１，４２，５１，５２，６１，６２が設定されたカウンタ値になった際にこれらをリセットするとともに、各一致回路４４，５４，６４の出力やリューズ位置信号、ＳＷＡ，ＳＷＢ信号などに応じて各駆動パルス発生回路２２〜２４に所定のパルス信号（例えば１２８Ｈｚのパルス信号）を出力するように構成されている。
【００６３】
一例として、制御回路６５は、図５に示すように、各カウンタ６１，６２が設定されたカウンタ値になった際にリセットするための、ＮＯＲゲート８１等からなるリセット処理部８０と、フリップフロップ８２やＡＮＤゲート８３等からなり、一致回路６４の出力やリューズ位置信号、ＳＷＡ，ＳＷＢ信号などに応じて駆動パルス発生回路２２に所定のパルス信号（例えば１２８Ｈｚのパルス信号）を出力する信号発生部８５を備えて構成されている。
【００６４】
他の制御回路４５，５５も同様の構成とされている。
また、リューズ５やＡボタン（ＳＷＡ）６、Ｂボタン（ＳＷＢ）７の操作は、図３に示すように、スイッチ制御部７０で検出される。そして、リューズ位置及び各スイッチ操作に応じて、リセット信号、スプリット信号、リューズ位置信号、０セット信号（0set1〜0set3）などが出力され、図７に示すような、各機能が実行されるように構成されている。
なお、リューズ５は、０段目（ＲＭ０）、１段目（ＲＭ１）、２段目（ＲＭ２）の３段階に引き出し可能とされ、その引き出し位置は、スイッチＲＭ１およびスイッチＲＭ２がオン状態であるかオフ状態であるかで検出される。すなわち、リューズ５が０段目の場合にはスイッチＲＭ１，ＲＭ２ともにオフとされ（ＲＭ０がオン）、１段目の場合にはスイッチＲＭ１のみがオンとされ、２段目の場合にはスイッチＲＭ２のみがオンとされる。
【００６５】
また、Ａボタン６を押すとスイッチＡ（ＳＷＡ）がオンされ、Ｂボタン７を押すとスイッチＢ（ＳＷＢ）がオンされるように構成されている。
従って、図６に示すように、アラーム制御手段である駆動制御回路２０において、アラーム制御部であるアラーム針駆動制御部６０は、リューズ位置検出部７０１、スイッチＡ検出部７０３、スイッチＢ検出部７０４の操作情報に基づいて操作制御信号ＡＬＣＯＴ１〜４および０ｓｅｔ３を出力するものとなる。
なお、ＡＬＣＯＴ１は、現時刻カウンタである分・時アラームカウンタ６１をリセットするための信号であり、具体的には、アラーム付電子時計１の電池を交換した場合のようにシステムリセットが発生した際に、カウンタ６１をリセットするように出力される。
また、ＡＬＣＯＴ２は、信号発生部８５から１２８Ｈｚの早送りパルスを出力するか否かを制御する信号であり、リューズ５が２段目（アラーム現時刻合わせモード）に位置する際に、Ｈレベル信号となる。このため、アラーム現時刻合わせモードでは、カウンタ６１，６２の値が一致するまで、信号発生部８５から１２８Ｈｚの早送りパルスが出力されて、アラーム用指針１７，１８が早送りされ、一致すると停止するようにされている。
ＡＬＣＯＴ３は、リューズ５が１段目（アラーム時刻セットモード）時に、Ｂボタン７（スイッチＢ）を押す度にＨレベル信号を出力するものである。これにより、分・時アラーム針０位置カウンタ６２をカウントアップするとともに、アラーム用指針１８が１分進められる。なお、アラーム制御部６９は、後述するように、Ｂボタン７を押し続けた場合には、ＡＬＣＯＴ３を１２８Ｈｚ程度の早送りパルスとして出力するようにされている。
ＡＬＣＯＴ４は、リューズ５が２段目（アラーム現時刻合わせモード）に位置する際に、Ｂボタン７（スイッチＢ）を押す度にＨレベル信号を出力するものである。これにより、分・時アラーム針０位置カウンタ６２の値を変えずに、アラーム用指針１７，１８のみを１分ごと進めることができ、アラーム用指針１７，１８の現時刻合わせ処理を行った際に、指針１７，１８のずれを調整するために用いられる。
０ｓｅｔ３は、後述するように、リューズ５が２段目（アラーム現時刻合わせモード）に位置する際に、Ａボタン６（スイッチＡ）を押して、アラーム現時刻合わせモードが選択された際に１パルスのみ出力されるものである。
次に、本実施形態における動作を説明する。
【００６６】
（リューズ回転機能）
リューズ５の回転機能は、通常の時計と同様であり、図７に示すように、０段目では回転させてもフリーであり、１段目では右回転で日修正が行われ、２段目では時針１１、分針１２、小秒針１３の基本時計の針合わせが行われる。
（クロノグラフスタート、ストップ）
リューズ５が０段目の時、初期状態では、第３分周回路３５、各カウンタ４１，５１はスイッチ制御部７０からリセット信号が入力されてリセット状態とされている。そして、Ａボタン６（ＳＷＡ）を押すと、そのリセット状態が解除されてクロノグラフ機能がスタートする。
すると、第３分周回路３５から５Ｈｚの信号が１／５秒ＣＧ秒カウンタ５１に入力され、カウンタ５１のカウンタ値は、１／５秒毎に１つずつアップする。カウンタ５１のカウンタ値が１つ増えると、ラッチ状態にされていない第２ラッチ回路５３は、カウンタ５１の値をそのままスルーする。そして、第２ラッチ回路５３と１／５秒ＣＧ針０位置カウンタ５２の値を比較する第２一致回路５４では、値が不一致になるために、その出力COUT２からはＨレベル信号が出力される。第２制御回路５５には、第３制御回路６５の信号発生部８５と同じものが設けられており、この信号発生部８５のフリップフロップ８２にＨレベル信号が入力されることで、フリップフロップ８２の出力ＱがＨレベル信号となり、ＡＮＤゲート８３、ＯＲゲート８４を介して１２８Ｈｚのパルス信号が出力される。
このパルス信号は、カウンタ５２のクロック入力に入力されるとともに、駆動パルス発生回路２３に送られる。カウンタ５２は、信号入力によってカウンタ値が１アップし、第２ラッチ回路５３の値と一致するため、出力COUT２はＬレベル信号に変化し、フリップフロップ８２の出力ＱもＬレベル信号となり、１２８Ｈｚのパルス信号の出力が停止する。すなわち、１２８Ｈｚのパルス信号は１パルス分のみ出力され、この信号が入力される駆動パルス発生回路２３によって、１／５秒ＣＧ針１５が１パルス分移動する。
以上の動作を繰り返すことで、１／５秒ＣＧ針１５は１／５秒ごとに移動し、３００パルスつまり１分で１周する。なお、１／５秒ＣＧ針１５は１パルス毎に、角度（３６０／３００）度、つまり１．２度の角度で移動する。
【００６７】
また、分ＣＧ針駆動制御部４０では、分ＣＧカウンタ４１に１／５秒ＣＧ秒カウンタ５１から１分ごとにパルス信号が入力されてカウンタ５２との値が不一致になり、１／５秒ＣＧ針駆動制御部５０と同様の処理によって分ＣＧ針１６が１パルス分移動する。なお、分ＣＧ針１６はＣＧ１分が６０パルス入力されると、つまり１時間で１周するため、１パルス毎に（３６０／６０）度、つまり６度の角度で移動する。
【００６８】
そして、再度Ａボタン６を押すと、クロノグラフはストップする。
（スプリット、スプリット解除）
クロノグラフのスタート後、Ｂボタン７を押すとスプリット状態になる。この状態では、ラッチ回路４３，５３がラッチ状態とされてその出力値がラッチ時に維持される。このため、各カウンタ４２，５２の値とも一致した状態に維持され、各１／５秒ＣＧ針１５、分ＣＧ針１６は停止状態となる。但し、各カウンタ４１，５１にはパルス信号の入力が継続するため、各カウンタ値は加算され続ける。
ここで、再度Ｂボタン７を押してスプリットを解除すると、各カウンタ４１，５１つまりラッチ回路４３，５３の値と、カウンタ４２，５２の値とはそれぞれラッチ状態の経過時間分だけ差がある。このため、その差が一致するまで、各カウンタ４２，５２には１２８Ｈｚの早送りパルスが入力される。この早送りパルスは、駆動パルス発生回路２３，２４にも入力され、前記各カウンタ４１，５１とカウンタ４２，５２との値が一致するまでは、各１／５秒ＣＧ針１５、分ＣＧ針１６が早送りされ、現在の各カウンタ４１，５１で指示される経過時間となる位置まで移動する。その後は、通常のクロノグラフ機能の移動に戻る。これにより、スプリットとその解除が行われる。
（クロノグラフリセット）
クロノグラフがストップしている状態で、Ｂボタン７を押すとクロノグラフがリセットされる。リセット状態になると、各カウンタ４１，５１がリセットされて「０」となり、各針１５，１６は、各カウンタ４２，５２がカウンタ値「０」となるまで、１２８Ｈｚの早送りパルスで早送りされ、０位置に戻る。
[アラーム処理]
次に、アラーム制御手段であるアラーム針駆動制御部６０におけるアラーム処理時の動作に関して図８および図９のフローチャートをも参照して説明する。
【００６９】
（１）通常運針
アラーム用指針１７，１８は、アラーム非セット状態であって、リューズ５が０段目または１段目の場合には、分アラームカウンタ３６からの固定パルスで１分周期で駆動され、基本時計用指針１１，１２と同様に現時刻を表示する。これらの分アラームカウンタ３６ないしアラーム針駆動制御部６０によりアラーム用指針運針制御手段６０１の機能が実現されている。なお、リューズ５を２段目にした場合には、指針１１，１２と同様に、指針１７，１８も停止する。このため、リューズ５を２段目から０，１段目に解除した場合には、指針１８は解除の１分後から固定パルスで駆動される。
（２）ワンタッチアラーム機能
本実施形態では、以下のような処理で、ワンタッチアラーム機能を実現している。
【００７０】
（リューズ位置検出）
アラーム処理では、図８，９に示すように、まず、リューズ位置検出部６６によってリューズ５の位置をチェックする。すなわち、まず、リューズ５が０段目（ＲＭ０がオン）であるか否かのチェック（ステップ１、以下ステップを「Ｓ」と略す）し、ＲＭ０がオフの場合には、リューズ５が１段目（ＲＭ１がオン）であるか否かのチェック（Ｓ１１）を行う。なお、Ｓ１１でオフ、つまり、ＲＭ０及びＲＭ１の両方ともオフの場合はリューズ５が２段目にあると判断する。
（アラーム鳴音モード）
リューズ５が０段目（アラーム鳴音モード）の場合には、続いて「フラグ１＝１」であるかをチェックする（Ｓ２）。ここで、フラグ１は、後述するアラーム時刻セットモードにおいてアラームセット時刻が設定された際に設定されるフラグであり、アラームセット中であれば「１」を示すものである。従って、フラグ１が「１」でなければ、何ら処理せずにアラーム処理（リューズ位置検出）に戻る。
「フラグ１＝１」の場合には、分・時アラームカウンタ６１と分・時アラーム針０位置カウンタ６２の内容が一致しているかを判定する（Ｓ３）。すなわち、アラームセット時刻を設定した後、リューズ５を０段目に押し込んで通常の運針状態にすると、カウンタ６１には分アラームカウンタ３６から１分毎にパルス信号が入力されるため、現時刻に対応する値に変化する。一方、第３一致回路６４が不一致であっても、第３制御回路６５から駆動パルス発生回路２２やカウンタ６２にはパルス信号が出力されず、カウンタ６２の値や指針１７，１８は同じ状態（停止状態）に維持される。
そして、カウンタ６１の値がカウンタ６２に一致して第３一致回路６４から一致信号が出力されると（Ｓ３）、フラグ１が０とされてアラーム非セット状態に戻されるとともに（Ｓ４）、アラーム音発生回路２９に信号が発せられてアラームが所定時間、例えば２０秒間鳴る（Ｓ５）。
このように、フラグ１＝０に戻しているので、再度、アラームセット時刻を設定しなければアラームが鳴音しないため、ワンタッチアラーム機能が実現される。従って、Ｓ４の処理を行わなければ、１２時間後に、再度アラームセット時刻と現時刻とが一致した際にもアラームが鳴音するデイリーアラーム機能を実現できる。これらのカウンタ６１、カウンタ６２、第３一致回路６４、第３制御回路６５によりアラーム実行手段６０２の機能が実現されている。
（アラーム鳴り止め）
なお、アラームの鳴音中に、Ａボタン（ＳＷＡ）６、Ｂボタン（ＳＷＢ）７のいずれかが押された場合や、リューズ５が１段目、２段目に移動された場合には、２０秒間経過する前であっても、鳴音が停止される。
（アラーム時刻セットモード）
Ｓ１１でＲＭ１がオン（Ｓ１１）であり、リューズ５が１段目の場合には、アラーム時刻セットモードに移行する。このアラーム時刻セットモードでは、まず、Ｂボタン７が押されているか、つまりＳＷＢがオンであるか否かをスイッチＢ検出部６８で検出する（Ｓ１２）。
【００７１】
ここで、ＳＷＢがオンの場合、「早送Ｆ１＝１」であるか否かを検出する（Ｓ１３）。「早送Ｆ１」は、現在、アラーム時分針１７，１８が早送り中であるか否かを判断するフラグであり、後述するように、Ｂボタン７を所定時間（例えば１〜２秒）以上押し続けることで、「早送Ｆ１＝１」つまり早送り中に設定される。
早送Ｆ１が「１」でない場合には、「フラグ２＝１」であるか否かを検出する（Ｓ１４）。「フラグ２」はＢボタン７が最初に押された際に「１」にセットされ（Ｓ１５）、押されていない場合、つまりＳ１２でＳＷＢがオフの場合に、「０」に戻される（Ｓ１６）。すなわち、Ｂボタン７が押し続けられているか否かの判別に用いられるものである。従って、Ｓ１４において、フラグ２が「１」で無い場合に、Ｓ１５で「フラグ２＝１」とされる。
続いて、アラーム分針１８を１分進め（Ｓ１７）、「フラグ１＝１」としてアラームセット状態に設定する（Ｓ１８）。
【００７２】
ここで、分・時アラームカウンタ６１と分・時アラーム針０位置カウンタ６２の内容が一致しているかを判定する（Ｓ１９）。一致していなければ、アラーム処理に戻る。
また、Ｓ１４で「フラグ２＝１」の場合、つまりＢボタン７が押し続けられている場合、Ｂボタン７が所定時間（例えば１〜２秒）以上押し続けられているか否かを検出する（Ｓ２０）。そして、所定時間以上押し続けられていれば、「早送Ｆ１＝１」とされ、早送り中に設定される（Ｓ２１）。
【００７３】
この「早送Ｆ１」は、Ｓ１２でＳＷＢがオフされると、「０」に戻される（Ｓ２２）。このため、Ｂボタン７が押し続けられていると、早送Ｆ１が「１」のままであるから、Ｓ１３では「Ｙ」とされ、分針１８の１分ごとの進み（Ｓ１７）が繰り返されて、アラーム時分針１７，１８は早送りされる。
そして、Ｓ１９で各カウンタ６１，６２の内容が一致した場合、つまりアラーム時分針１７，１８が基本時計用指針１１，１２と一致した場合には、アラームセットのフラグ１を「０」にリセットしてアラーム非セット状態とし（Ｓ２３）、早送Ｆ１も「０」にリセットして早送り処理も終了する（Ｓ２４）。これらにより早送り手段６０４の機能が実現されている。
従って、アラーム時刻セットモードでは、リューズ５を１段目に引き出した状態（ＲＭ１がオン）で、Ｂボタン（ＳＷＢ）７を押す毎に、パルス信号ＡＬＣＯＴ３が駆動パルス発生回路２２（信号ＣＯＴ６ＩＮとして入力）および分・時アラーム針０位置カウンタ６２に入力され、各指針１７，１８およびカウンタ６２の値が変化し、アラーム時刻セット状態（フラグ１＝１）になる。このＢボタン７を押す操作を、各指針１７，１８がアラームを設定したい時刻に移動するまで行うことで、アラーム時刻セットが行われる。
また、ＲＭ１がオンの状態で、Ｂボタン７を押し続けると、パルス信号ＡＬＣＯＴ３が早送りパルスとなって入力され、各指針１７，１８が早送りされる。そして、各指針１７，１８が現時刻に一致すると、その早送り(運針)は停止し（早送Ｆ１＝０）、アラームセットも解除される（フラグ１＝０）。さらに、Ｂボタン７を押すと、指針１７，１８が再度移動し、アラーム時刻セット操作が継続される。
なお、リューズ５が１段目にある時に、アラームセット時刻（カウンタ６２の値）とアラーム現時刻（カウンタ６１の値）が一致しても、アラームの鳴音は行われない。
【００７４】
また、リューズ５が１段目にある時は、指針１７，１８も基本時計用指針１１〜１３と同様に通常運針を行うが、一旦、Ｂボタン（ＳＷＢ）７が押されてアラーム時刻セット（フラグ１＝１）になると、指針１７，１８は通常運針を停止し、Ｂボタン（ＳＷＢ）７によって移動するようになる。
【００７５】
但し、Ｂボタン（ＳＷＢ）７のワンプッシュによる１分毎の進みや、押し続けによる加速修正中に、アラームセット時刻とアラーム現時刻とが一致してフラグ１＝０となり、アラーム非セット状態になれば、通常運針を再開する。
（アラームの解除）
上記でも一部説明したが、アラームの解除は、アラームセット中にアラームセット時刻とアラーム現時刻とが一致した場合、アラームが鳴音された場合（途中で鳴り止めされた場合も含む）、リューズ５が２段目に移動された場合に、アラーム非セット状態にされるようになっている。これらによりアラーム切替手段６０３の機能が実現されている。
（３）位置合わせ操作：指針選択操作
Ｓ１１が「Ｎ」の場合、つまり、リューズ５が２段目に引き出されている場合には、図９に示す位置合わせモードでの処理が行われる。
【００７６】
本実施形態では、位置合わせモードにおいては、アラーム現時刻合わせモード、分ＣＧ０位置合わせモード、１／５秒ＣＧ０位置合わせモードの３つのモードを、Ａボタン６を押すことで切り替えられるようにされている。
（アラーム現時刻合わせモード）
すなわち、Ｓ１１が「Ｎ」の場合には、まずＡボタン６が押されているか、つまりＳＷＡがオンであるか否かが検出される（Ｓ３１）。ここで、ＳＷＡがオンの場合、Ａボタン６が所定時間（例えば１〜２秒）以上押されているかを判定する（Ｓ３２）。そして、所定時間以上押されている場合、つまり操作者が明示的にＡボタン６を押してモード切替を行おうとしている場合には、モードの切換を行う（Ｓ３３）。具体的には、リューズ５を２段目に引き出すと、最初にアラーム現時刻合わせモードとなり、その後、Ａボタン６を１〜２秒間押して離す度に、分ＣＧ０位置合わせモード、１／５秒ＣＧ０位置合わせモード、アラーム現時刻合わせモードの３つのモードに順次切り替わる。
一方、Ｓ３１で「Ｎ」の場合には、アラーム現時刻合わせモード（ＡＬ現モード）であるかを判定する（Ｓ３４）。
【００７７】
アラーム現時刻合わせモードである場合には、まず、カウンタ６１とカウンタ６２との値が一致しているかが判定され（Ｓ３５）、一致していない場合（指針１７，１８が現時刻を表示していない場合）には、各カウンタ６１，６２の値が一致するまで、アラーム時分針１７，１８が早送りされる（Ｓ３６）。
アラームセット時刻の設定は、分・時アラーム針０位置カウンタ６２に設定されるが、本実施形態において、この設定値は、現時刻のデータがセットされる分・時アラームカウンタ６１との相対値で設定される。このため、アラームをセットする場合には、まず、アラーム時針１７、アラーム分針１８を、現時刻に一致させる必要がある。このため、アラーム現時刻合わせモードに移行すると、ＡＬＣＯＴ２がＨレベル信号となり、カウンタ６１の値にカウンタ６２の値が一致するまで、そのカウンタ値の差に応じた早送りパルスが出力され、ステップモータＭ６が駆動される。
そして、カウンタ６１とカウンタ６２の値が一致すると、フリップフロップ８２の出力ＱがＬレベル信号となり、１２８Ｈｚのパルス信号の出力が停止し、指針１７，１８も停止する。この際、現時刻とアラーム現時刻の指針表示が同一でない場合には、Ｂボタン７でアラーム現時刻が現時刻に合うように修正する。このＢボタン７での操作は、前記アラーム時刻セットモードの時と同じであり、１回押す毎に信号ＡＬＣＯＴ４が１パルス毎出力し、カウンタ６２の値を変えることなく、アラーム分針１８が１分ずつ進み、押し続けると早送りされるようにされている。
すなわち、Ｂボタン７（ＳＷＢ）がオンされているかを判定し（Ｓ３７）、オンされている場合には、「早送Ｆ２＝１」であるか否かを検出する（Ｓ３８）。「早送Ｆ２」は、現在、アラーム時分針１７，１８が早送り中であるか否かを判断するフラグである。
早送Ｆ２が「１」でない場合には、「フラグ３＝１」であるか否かを検出する（Ｓ３９）。「フラグ３」はアラーム現時刻合わせモードにおいて、Ｂボタン７が最初に押された際に「１」にセットされ（Ｓ４０）、押されていない場合、つまりＳ３７でＳＷＢがオフの場合に、「０」に戻される（Ｓ４１）。すなわち、Ｂボタン７が押し続けられているか否かの判別に用いられるものである。Ｓ４０で「フラグ３＝１」とされると、続いて、アラーム分針１８を１分進め（Ｓ４２）、アラーム処理に戻る。
また、Ｓ３９で「フラグ３＝１」の場合、つまりＢボタン７が押し続けられている場合、Ｂボタン７が所定時間（例えば１〜２秒）以上押し続けられているか否かを検出する（Ｓ４３）。そして、所定時間以上押し続けられていれば、「早送Ｆ２＝１」とされ、早送り中に設定される（Ｓ４４）。
この「早送Ｆ２」は、Ｓ３７でＳＷＢがオフの場合に、「０」に戻される（Ｓ４５）。このため、Ｂボタン７が押し続けられていると、早送Ｆ２が「１」のままであるから、Ｓ３８では「Ｙ」とされ、分針１８の１分ごとの進み（Ｓ４２）が繰り返されて、アラーム時分針１７，１８は早送りされる。
（分ＣＧ０位置合わせモード、１／５秒ＣＧ０位置合わせモード）
一方、Ｓ３４において「Ｎ」の場合には、分ＣＧ０位置合わせモードであるかを判定し（Ｓ５１）、分ＣＧ０位置合わせモードであれば分ＣＧ０位置合わせ処理を行い（Ｓ５２）、分ＣＧ０位置合わせモードでなければ、１／５秒ＣＧ０位置合わせ処理を行う（Ｓ５３）。
分ＣＧ０位置合わせモードや、１／５秒ＣＧ０位置合わせモードに移行すると、各カウンタ４２，５２のクロック入力にワンショットのＨレベル信号（0set2,0set1）が入力される。すると、カウンタ４１，５１つまりラッチ回路４３，５３の値と同一であったカウンタ４２，５２の値が「＋１」され、ラッチ回路４３，５３の値と不一致になり、各カウンタ４２，５２の値がラッチ回路４３，５３の値に一致するまで、つまり分ＣＧ針１６、１／５秒ＣＧ針１５が１周するまで早送りされる。
なお、アラーム現時刻合わせモード（リューズ５を２段目に引き出した直後の第１回目以外）に切り替わったときも、0set3の出力がカウンタ６２に入力されることで、アラーム時針１７およびアラーム分針１８（７２０パルスで時針１７は１周、分針１８は１２周）も各々早送りされる。
【００７８】
これにより、操作者は現在、どの指針１５〜１８が選択対象とされているかを容易に視認できるようにされている。
（位置合わせ操作：指針セット操作）
各指針１５，１６が選択された後、Ｂボタン７を押すと、その打鍵回数分のパルス信号が各モードで選択された指針１５，１６の駆動パルス発生回路２２，２３に入力され、各指針を１パルス分毎、移動して修正することができる。これにより、１／５秒ＣＧ針１５および分ＣＧ針１６は０位置（通常、時計の１２時方向）に対する位置ズレの修正が行われる。
このような本実施形態によれば、次のような効果がある。
【００７９】
(1) アラーム制御手段の各制御モードの切換を、基本時計用指針１１〜１３を操作するリューズ５によって行っているので、従来のような第２のリューズを設ける必要がなく、アラーム用指針１７，１８を有するアラーム付電子時計１であっても、外部操作部材の数を少なくできる。
このため、ムーブメントの小型薄型化が図れ、レイアウト自由度も高まり、コストも低減できる。さらに、リューズは、切り替え機構などが付属するために、スイッチなどの他の外部操作部材に比べて広いスペースが必要となるため、リューズの数を削減すれば、スイッチを削減する場合に比べても、ムーブメントをより一層小型薄型化することができる。
また、ムーブメント内のスペースに余裕ができるため、ステップモータや指針、センサ等を適宜組み込んで、クロノグラフ機能、高度計等のセンサ機能等のアラーム機能以外の様々な機能を組み込むことができる。このため、多機能の時計を大型化することなく実現することができる。
(2) リューズ５の０段目でアラーム鳴音モードとなり、１段目でアラーム時刻セットモードとなり、２段目でアラーム現時刻合わせモードとなるように設定しているので、これらの中で頻度の高いアラーム鳴音モードおよびアラーム時刻セットモードを容易に切り替えることができ、アラーム操作の全体的な操作性を向上できる。
(3) リューズ５の他にＢボタン７を設け、アラーム制御モードにおける各操作を、Ｂボタン７を押すことで行うようにしたので、時計１の使用者は、各アラーム制御モードでの操作と基本時計等の操作とを明確に区別して操作でき、リューズ５を、基本時計用指針１１〜１３の操作用とアラーム制御用とで兼用していても、操作性を向上できる。
(4) また、Ｂボタン（ＳＷＢ）７は、他の１／５秒ＣＧ針１５、分ＣＧ針１６の針合わせにも共通して利用されるため、外部操作部材の増加を抑えることができ、多機能な時計であっても小型薄型化を実現できる。その上、Ｂボタン７を押した際の動作は、選択された各指針１５〜１８が送られる点で各モードにおいて共通しているため、操作者にとって分かりやすく、外部操作部材の数が少なくても操作性を向上できる。
【００８０】
さらに、Ｂボタン７を所定時間以上押し続けることで、各指針１５〜１８が早送りされるように構成されているため、操作性を向上でき、かつ操作時間を短縮することができる。
(5) Ａボタン６は、各位置合わせモードの切換にのみ利用されているので、この点でも、ボタン操作を容易に把握できて操作性を向上できる。
【００８１】
すなわち２つのボタン６，７の内、ボタン６は指針の選択機能、ボタン７は選択した指針の位置合わせ機能と各ボタン６，７の機能が決まっているため、利用者が理解しやすく、操作性を向上できる。
(6) アラーム非セット状態時には、アラーム用指針１７，１８が基本時計と一致して運針し、アラームセット時には、アラーム用指針１７，１８はアラームセット時刻で停止しているようにしたので、アラームセット状態であるか否かを容易に判別できる。特に、アラーム非セット状態時に、アラーム用指針が基本時計と同じ時刻を表示するようにしているため、アラームセット状態であるか否かをより一層容易に判別できる。
(7) アラームが鳴音した際に、フラグ１＝０（Ｓ４）としてアラーム非セット状態に切り替えるようにしているので、ワンタッチアラーム機能を容易に実現できる。
【００８２】
また、このＳ４を無くすことで、デイリーアラーム機能を簡単に実現することができる。このため、ワンタッチアラーム機能とデイリーアラーム機能とを切り替えて利用できるようにすることも簡単に設定できる。
(8) アラーム時刻セットモード時に、アラームセット時刻と現時刻とが不一致の場合にはアラームセット状態に設定し、アラームセット時刻と現時刻とが一致した際には、アラーム非セット状態に設定しているので、アラームのセット及び非セットを、別のスイッチなどを操作して設定する必要が無く、外部操作部材の増加を抑えることができる。
(9) アラーム非セット状態にするために、アラームセット時刻と現時刻とを一致させる場合に、アラーム用指針の早送り操作を行うだけで、アラームセット時刻と現時刻とが一致した時点で早送りが自動的に中止されるため、簡単にアラームセット時刻と現時刻とを一致させることができ、アラーム非セット状態への操作性も向上できる。
(10)  １つの外部操作部材であるＡボタン６で修正する指針を選択し、他の１つの外部操作部材であるＢボタン７で選択した指針の位置合わせを行うことができるため、修正対象となる指針１５〜１８の数（ステップモータの数）が３つ以上であっても、２つのボタン６，７で各指針１５〜１８の位置合わせを行うことができる。従って、指針（ステップモータ）が増えても外部操作部材の数を増やす必要が無く、この点でもムーブメントを小型薄型化でき、コストも低減できる。
(11)  指針の位置合わせ操作は、リューズ５を２段目に引き出した際に行われるようにしたので、リューズ５を他の引き出し位置に移動して位置合わせ操作を続行する必要が無く、操作性を向上することができる。
【００８３】
さらに、リューズ５が他の引き出し位置（０段目や１段目）に設定されている際に、各ボタン６，７には、クロノグラフのスタート、ストップ、アラームセット等の他の機能を設定でき、ボタン６，７を増やすことなく、多くの機能を実現することができる。
その上、リューズ５を明示的に２段目に移動した場合のみ、前記指針選択や指針修正機能が働くため、誤操作を少なくでき、利用者にとって扱いやすい時計にすることができる。特に、リューズ５の２段目は、時針１１、分針１２、小秒針１３の基本時計の針合わせを行う位置でもあるため、各指針１１〜１３，１５〜１８の位置合わせを、リューズ５の２段目という１つの引き出し位置で共用して行うことができ、利用者にとって覚え易くすることができる。このため、指針の修正操作という、頻度の少ない操作であっても、その操作性を向上できる。
(12)  また、修正対象の指針１５〜１８を選択した際に、その指針１５〜１８が１周回転するようにしたので、選択された指針を容易に把握できて修正作業を効率よく行うことができる。
【００８４】
さらに、指針を１周させるには、各カウンタ４２，５２，６２にパルス信号を１つ入力するだけでよいため、駆動制御が簡単になり、かつコスト増加も抑えることができる。
(13)  リューズ５を２段目に引き出すだけで、アラーム時針１７、アラーム分針１８が自動的に選択されるため、指針の選択操作を少なくでき、修正時の操作性を向上できる。
【００８５】
(14)  さらに、最初に選択される修正対象を修正頻度の高いアラーム針１７，１８にしたので、修正操作を非常に効率化できる。
なお、本発明は各実施形態に限定されるものではなく、本発明の目的を達成できる範囲での変形、改良等は、本発明に含まれるものである。
【００８６】
例えば、前記実施形態では、リューズ５でアラーム制御モードを切り替え、Ｂボタン７を押して各指針１７，１８の移動を行っていたが、例えば、リューズ５の位置を切り替えた後、一定時間経過前にリューズ５を操作すると日修正や基本時計用指針１１〜１３の針合わせ操作が行われ、一定時間経過後にリューズ５を操作すると、アラーム時分針１７，１８のセットや位置合わせ操作が行われるようにしてもよい。但し、Ｂボタン７で操作した方が、操作が分かりやすいメリットがある。
また、アラーム機能のみを有する時計の場合には、リューズ５以外の外部操作部材としては、１つのスイッチを設ければよい。要するに、リューズ５を２段目に移動した際の位置合わせモードで、モード切替が必要な場合には、２つのスイッチ６，７を設ければよいが、モード切替が不要であれば、１つのスイッチを設ければよい。
さらに、前記実施形態では、アラーム時分針１７，１８は、アラーム非セット状態では、通常運針を行うようにしていたが、ワールドタイム機能を組み込み、アラーム非セット状態では、所定の都市や国の時刻をアラーム時分針１７，１８で表示するようにしてもよい。
さらに、前記アラーム付電子時計１では、クロノグラフ機能とアラーム機能とを組み込んでいたが、ワールドタイム機能や高度計等の他の機能を新たに組み込んでもよいし、クロノグラフ機能の代わりに他の機能を組み込んでもよく、要するにアラーム機能さえ組み込んでおけば、他に組み込む機能は実施にあたって適宜設定すればよい。例えば、指針によって値を表示するセンサ機能としては、高度計、水深計、圧力計（水圧等）、太陽電池やボタン電池等の充電（残存）電力量の測定器、電波時計等における受信電波強度の測定器等の各種センサ機能を適宜選択して組み込むことができる。特に、本発明では、ボタン６，７等の外部操作部材の数を抑えることができるため、その分、多くの機能を組み込むことができる。
また、リューズ５の引き出し位置と、３つのアラーム制御モードの関係は、前記実施形態に限らない。例えば、クロノグラフ機能が組み込まれていなければ、０段目をアラーム時刻セットモードにしたりすることもできる。但し、基本時計用指針１１〜１３の操作モードなどを考慮すると、前記実施形態の設定が最も好ましい。
さらに、各アラーム制御モードでの動作は、図８および図９のフローチャートに記載されたものに限らない。例えば、アラーム時刻セットモードにおいては、アラームセット時刻と現時刻とが一致した際に、アラームセットを解除していたが、他のＡボタン６等を操作することで、セット状態と非セット状態との切り替えを行えるようにしてもよい。要するに、各動作は、外部操作部材の数などに応じて適宜設定すればよい。
また、リューズ５以外の外部操作部材としては、押しボタン６，７に限らず、１方向に倒すレバータイプや、円盤状のダイヤル式のものなどでもよく、外部操作部材の具体的な構造や形状などは、時計のデザインなどに応じて適宜設定すればよい。
本発明を実現する主要な機能であるアラーム針駆動制御部６０、および関連するスイッチ制御部７０、分ＣＧ針駆動制御部４０、１／５秒ＣＧ針駆動制御部５０などについては、図５および図６に示すような各種論理素子等のハードウェアで構成されたものに限らず、指針式電子時計１内にＣＰＵ（中央処理装置）、メモリ（記憶装置）等を備えたコンピュータを設け、このコンピュータに所定のプログラムを組み込んで前記各機能を実現させるように構成してもよい。
例えば、指針式電子時計１内にＣＰＵやメモリを配置してコンピュータとして機能できるように構成しておき、インターネット等の通信手段やＣＤ−ＲＯＭ、メモリカード等の記録媒体を介して、本発明に基づく制御プログラムをインストールすることができる。そして、このインストールされたプログラムでＣＰＵ等を動作させて、分ＣＧ針駆動制御部４０、１／５秒ＣＧ針駆動制御部５０、アラーム針駆動制御部６０、スイッチ制御部７０などの各機能を実現させるようにしてもよい。
この際、指針式電子時計１内に制御プログラムをインストールするには、その電子機器にメモリカードやＣＤ−ＲＯＭ等を直接差し込んで行ってもよいし、これらの記憶媒体を読みとる機器を外付けで電子機器に接続してもよい。さらには、ＬＡＮケーブル、電話線等を電子機器に接続して通信によってプログラムを供給しインストールしてもよいし、外部からの無線通信によって内部の受信機およびメモリに制御プログラムを供給してインストールしてもよい。
このように、記録媒体やインターネット等の通信手段で提供される本発明の制御プログラムを指針式電子時計に組み込めば、前記実施形態に説明した修正操作機能をソフトウェアにより提供できるため、機能の変更等が容易である。更に、既に市場に提供された時計についてもプログラム差替え等により機能改訂を容易に行うことができる。
【００８７】
【発明の効果】
以上に述べたように、本発明のアラーム式電子時計によれば、リューズ等の外部操作部材の数を増加させる必要が無く、ムーブメントの小型薄型化を実現でき、レイアウト自由度も高めることができるとともに、コスト増加を抑えることができる。
【図面の簡単な説明】
【図１】本発明の実施形態におけるアラーム付電子時計の文字盤部分を示す正面図である。
【図２】本実施形態のアラーム付電子時計の制御系を示すブロック図である。
【図３】本実施形態の駆動制御回路の構成を示すブロック図である。
【図４】本実施形態の駆動制御回路の要部を示すブロック図である。
【図５】本実施形態のアラーム針駆動制御部の構成を示すブロック図である。
【図６】本実施形態のアラーム針駆動制御部の機能ブロックを示す図である。
【図７】本実施形態のアラーム付電子時計の機能の操作方法を示す図である。
【図８】本実施形態におけるアラーム針駆動制御部の処理を示すフローチャートである。
【図９】図８のフローチャートの続きを示すフローチャートである。
【符号の説明】
１      アラーム付電子時計
５      外部操作部材であるリューズ
６      外部操作部材であるＡボタン（スイッチＡ）
７      外部操作部材であるＢボタン（スイッチＢ）
１１      時針
１２      分針
１３      小秒針
１５      １／５秒ＣＧ針
１６      分ＣＧ針
１７      アラーム時針
１８      アラーム分針
１９      アラーム
２０      アラーム制御手段を兼ねる駆動制御回路
２０１    基本指針駆動制御部
２０２    指針選択手段
２０３    指針位置合わせ手段
２０４    選択対象表示手段
２０５    標準選択手段
２０６    選択切替手段
２１〜２４      駆動パルス発生回路
２５〜２８      モータドライバ
２９      アラーム音発生回路
３０      アラームドライバ
３１      水晶発振回路
３４      論理緩急回路
３６      分アラームカウンタ
３７      １２時間検出カウンタ
４０      分ＣＧ針駆動制御部
４１      分ＣＧカウンタ
４２      分ＣＧ針０位置カウンタ
４３      第１ラッチ回路
４４      第１一致回路
４５      第１制御回路
５０      １／５秒ＣＧ針駆動制御部
５１      １／５秒ＣＧカウンタ
５２      １／５秒ＣＧ針０位置カウンタ
５３      第２ラッチ回路
５４      第２一致回路
５５      第２制御回路
６０      アラーム制御部であるアラーム針駆動制御部
６１      分・時アラームカウンタ
６２      分・時アラーム針０位置カウンタ
６３      第３ラッチ回路
６４      第３一致回路
６５      第３制御回路
６６      リューズ位置検出部
６７      スイッチＡ検出部
６８      スイッチＢ検出部
６９      アラーム制御部
７０      スイッチ制御部
７０１    リューズ位置検出部
７０２    スイッチＡ検出部
７０３    スイッチＢ検出部
８０      リセット処理部
８２      フリップフロップ
８３      ＡＮＤゲート
８５      信号発生部
【図１】
0003636099.tif 000002
【図２】
0003636099.tif 000003
【図３】
0003636099.tif 000004
【図４】
0003636099.tif 000005
【図５】
0003636099.tif 000006
【図６】
0003636099.tif 000007
【図７】
0003636099.tif 000008
【図８】
0003636099.tif 000009
【図９】
0003636099.tif 000010